(57)【要約】【課題】台所のベースキャビネットの上段引き出し部又はウォールキャビネットの下面部に冷蔵機能の収納部を設け、大型冷蔵庫の補助的冷蔵部分として機能させるものがあるが、収納部は上面開口から貯蔵物品の出し入れを行うようにかなり浅い深さであり、収納部がどのようにして冷却されるかが不明。本発明は、物品の貯蔵を前面から行える貯蔵箱体を上昇位置で冷却状態とし下降位置で貯蔵室の前面を開放して、物品の冷却貯蔵の安定化と物品出し入れの簡便さが得られるキッチン装置を提供するものである。【解決手段】流し台上方の戸棚に併設された収納箱体部に前面開口の冷却貯蔵箱体を上下動自在に収納し、この貯蔵箱体の背面側に冷却装置を設け、貯蔵箱体は上昇位置において冷却装置と貯蔵室との冷気循環通路が連通状態となり、下降位置において冷気循環通路が分離する構成であるキッチン装置である。【選択図】      図１
2005000207.tif 000002
【特許請求の範囲】
【請求項１】
水道水の供給口を備えたシンクとこのシンクの横にテーブル部を備えた流し台の上方空間に前面扉を備えた戸棚が配置されたキッチン装置において、前記戸棚に併設された収納箱体部に収納された冷蔵庫を設け、この冷蔵庫は、前面に物品出し入れ開口を形成する貯蔵室を構成した貯蔵箱体とこの貯蔵箱体の背面側に前記貯蔵室を冷却する冷却装置を備え、前記貯蔵箱体は、前記貯蔵室が前記収納箱体部内に収まった上昇位置と前記冷却装置を上方に残したままで前記貯蔵室が前記収納箱体部から外れた下降位置とに移動可能であり、前記上昇位置において前記冷却装置と前記貯蔵室との冷気循環通路が連通状態となり、前記下降位置において前記冷気循環通路が分離する構成であるキッチン装置。
【請求項２】
水道水の供給口を備えたシンクとこのシンクの横にテーブル部を備えた流し台の上方空間に戸棚を配置したキッチン装置において、前記戸棚に併設されて前記戸棚と統一された外観の前面扉を持つ冷蔵庫を備え、この冷蔵庫は、前面の物品出し入れ開口を前記前面扉で開閉される貯蔵室を構成した貯蔵箱体とこの貯蔵箱体の背面側に前記貯蔵室を冷却する冷却装置を備え、前記貯蔵室と前記冷却装置の冷却器室とは電動送風機にて冷気が循環する冷気循環通路で連通され、前記貯蔵箱体は、前記貯蔵室と前記冷却器室とが前記冷気循環通路で連通状態となる上昇位置と、前記冷却装置と前記電動送風機を上方に残したままで前記冷気循環通路が分離状態となる下降位置とに移動可能であることを特徴とするキッチン装置。
【請求項３】
前記貯蔵室の前面には、前記物品出し入れ開口を開閉する開閉部材を前記収納箱体部から分離状態に前記貯蔵室に設けたことを特徴とする請求項１に記載のキッチン装置。
【請求項４】
前記貯蔵箱体は断熱壁構成であり、前記冷却装置は封入された冷媒が電動圧縮機、凝縮器、減圧装置及び前記冷媒が蒸発する冷却器を通って前記電動圧縮機へ循環する冷凍サイクルを構成し、前記冷却器は断熱壁で囲まれた冷却器室に収納され、前記冷気循環通路は前記貯蔵箱体の上部に形成したダクト構成であり、前記上昇位置において前記貯蔵箱体と前記ダクトが連通し下降位置においてこの両者が分離する構成であることを特徴とする請求項１乃至３のいずれかに記載のキッチン装置。
【請求項５】
前記冷気循環通路には、前記貯蔵箱体が下降した状態で前記冷却装置側で前記冷気循環通路を閉じるダンパ装置を設けたことを特徴とする請求項１乃至４のいずれかに記載のキッチン装置。
【請求項６】
前記貯蔵箱体の壁の一部に蓄冷材を配置したことを特徴とする請求項１乃至５のいずれかに記載のキッチン装置。
【請求項７】
水道水の供給口を備えたシンクとこのシンクの横にテーブル部を備えた流し台の上方空間に前面扉を備えた戸棚が配置されたキッチン装置において、前記戸棚に併設された収納箱体部に収納された冷蔵庫を設け、この冷蔵庫は、前面に物品出し入れ開口を形成する貯蔵室を構成した貯蔵箱体とこの貯蔵箱体の背面側に前記貯蔵室を電動送風機による冷気循環にて冷却する冷却装置を備え、前記貯蔵箱体は、前記貯蔵室が前記収納箱体部内に収まった上昇位置と前記冷却装置及び前記電動送風機を上方に残したままで前記貯蔵室が前記収納箱体部から外れた下降位置とに移動可能であり、前記冷却装置と前記貯蔵室との冷気循環通路を前記貯蔵箱体の上下移動に伴って伸縮又は撓む可撓性ダクト構成としたことを特徴とするキッチン装置。
【請求項８】
前記上昇位置において前記冷却装置が運転可能状態となり、下降位置では前記冷却装置が運転停止状態となる制御スイッチを備えたことを特徴とする請求項１乃至７のいずれかに記載のキッチン装置。
【請求項９】
前記上昇位置において前記冷却装置及び前記送風機が運転可能状態となり、下降位置では前記冷却装置及び前記送風機が運転停止状態となる制御スイッチを備えたことを特徴とする請求項２または４のいずれかに記載のキッチン装置。
【請求項１０】
前記貯蔵箱体の上下移動を電動昇降装置にて行うことを特徴とする請求項１乃至９のいずれかに記載のキッチン装置。
【発明の詳細な説明】
【０００１】
【発明の属する技術分野】
本発明は、水道水の供給口を備えたシンクを備えた流し台の上方空間に冷蔵庫を配置するキッチン装置に関する。
【０００２】
【従来の技術】
従来、厨房室内には、流し台、ガステーブル、収納キャビネット、更には食器洗浄機などが収納されて略同一高さに構成され、流し台の上方空間には吊戸棚が配置されて、これらが統一した意匠でもって構成された、所謂システムキッチンが配置されている。そして、大型冷蔵庫もこれらの一部分の機器として加えられてシステムキッチンの範囲が広がっている。
【０００３】
システムキッチンに冷蔵庫を加えた形態として、流し台の横に背の高い冷蔵庫を設置したものがある（例えば、特許文献１参照）。これは、冷蔵庫の排熱によって厨房室に臭気が拡散するのを防止するために、冷蔵庫の上部に空気清浄機を設置するものである。
【０００４】
また、システムキッチンの引き出し収納の一部に冷蔵庫を組み込んで、乾物や根菜類などを収納できるようにして、冷暗所として手軽に利用できるようにしたものがある（例えば、特許文献２参照）。
【０００５】
更に、流し台、ガステーブル、収納キャビネットなどが収納されて略同一高さに構成されたベースキャビネットの上方には、水平方向に複数の収納部を形成した吊戸棚に相当するウォールキャビネットを配置したものがある（例えば、特許文献３参照）。これは、大型冷蔵庫に多くの生鮮食料品が詰め込まれて使い忘れにより腐らせてしまうことの防止のために、使用頻度の高いものをこの大型冷蔵庫から取り出して収納できる冷蔵機能部を、ベースキャビネットの上段引き出し部に引き出し自在に、又はウォールキャビネットの下面部に手前下方に回動開閉自在に設けるものである。
【０００６】
【特許文献１】
特開平９‐２８５３５１号公報（Ｐ１〜２、図１）
【特許文献２】
特開２００２‐２９１５４９号公報（Ｐ１〜４、図１、図２）
【特許文献３】
特開平８‐２０５９４２号公報（Ｐ１〜２、図１〜図６）
【０００７】
【発明が解決しようとする課題】
上記の特許文献１のものでは、背の高い冷蔵庫が流し台の横に設置される形態であり、従来の冷蔵庫をそのまま利用する技術思想の域を出ない。また、特許文献２のものは、システムキッチンの引き出し収納の一部に冷蔵庫を組み込んでいるが、貯蔵物品の出し入れの際に屈まなくてはならない面倒さが伴う。
【０００８】
また、特許文献３のものは、冷蔵機能をベースキャビネットの上段引き出し部、又はウォールキャビネットの下面部に手前下方に回動開閉自在に収納部を設けるものであるが、これは、大型冷蔵庫の補助的冷蔵部分として機能させる目的として発明されたものであり、そのために、ベースキャビネットの上段引き出し部及びウォールキャビネットの収納部は、上面開口から貯蔵物品の出し入れを行うようにかなり浅い深さの収納形態である。そして、上段引き出し部及びウォールキャビネットの下面収納部には冷却器が設けられているが、具体的にはどのようにして冷却されるかが不明である。
【０００９】
本発明は、このような点に鑑みて、流し台の上方空間に冷蔵庫が配置される形態とし、この冷蔵庫は、貯蔵室内を速やかに冷却できる冷気強制循環式とする。そして、物品の貯蔵室を前面から行える形態とし、この貯蔵室を上下移動式として、上昇位置で冷却状態とし下降位置で貯蔵室の前面からの物品の出し入れが行えるようにして、物品の冷却貯蔵の安定化と物品出し入れの簡便さが得られるキッチン装置を提供するものである。
【００１０】
【課題を解決するための手段】
第１発明は、水道水の供給口を備えたシンクとこのシンクの横にテーブル部を備えた流し台の上方空間に前面扉を備えた戸棚が配置されたキッチン装置において、前記戸棚に併設された収納箱体部に収納された冷蔵庫を設け、この冷蔵庫は、前面に物品出し入れ開口を形成する貯蔵室を構成した貯蔵箱体とこの貯蔵箱体の背面側に前記貯蔵室を冷却する冷却装置を備え、前記貯蔵箱体は、前記貯蔵室が前記収納箱体部内に収まった上昇位置と前記冷却装置を上方に残したままで前記貯蔵室が前記収納箱体部から外れた下降位置とに移動可能であり、前記上昇位置において前記冷却装置と前記貯蔵室との冷気循環通路が連通状態となり、前記下降位置において前記冷気循環通路が分離する構成であるキッチン装置である。
【００１１】
これによって、冷蔵庫は、貯蔵室を上下移動式として、上昇位置で冷却状態とし下降位置で貯蔵室の前面からの物品の出し入れが行えるようになるため、物品の冷却貯蔵の安定化と物品出し入れの簡便さが得られるキッチン装置となる。そして、貯蔵箱体の背面側に貯蔵室を冷却する冷却装置を備えることにより、冷媒配管が短くなり配管の設置作業や断熱作業も簡素化される。
【００１２】
第２発明は、水道水の供給口を備えたシンクとこのシンクの横にテーブル部を備えた流し台の上方空間に戸棚を配置したキッチン装置において、前記戸棚に併設されて前記戸棚と統一された外観の前面扉を持つ冷蔵庫を備え、この冷蔵庫は、前面の物品出し入れ開口を前記前面扉で開閉される貯蔵室を構成した貯蔵箱体とこの貯蔵箱体の背面側に前記貯蔵室を冷却する冷却装置を備え、前記貯蔵室と前記冷却装置の冷却器室とは電動送風機にて冷気が循環する冷気循環通路で連通され、前記貯蔵箱体は、前記貯蔵室と前記冷却器室とが前記冷気循環通路で連通状態となる上昇位置と、前記冷却装置と前記電動送風機を上方に残したままで前記冷気循環通路が分離状態となる下降位置とに移動可能であることを特徴とするキッチン装置である。
【００１３】
このように、貯蔵室内を速やかに冷却できる冷気強制循環式の冷蔵庫とすることができる。そして、貯蔵箱体は、上昇位置で貯蔵室と冷却器室とが冷気循環通路で連通状態となり、下降位置で冷却装置と電動送風機を上方に残したままで冷気循環通路が分離状態となることにより、貯蔵箱体の背面側に貯蔵室を冷却する冷却装置を配置し、貯蔵室の前面からの物品の出し入れが行える形態の構成が容易となる。
【００１４】
また第３発明は、第１発明において、前記貯蔵室の前面には、前記物品出し入れ開口を開閉する開閉部材を前記収納箱体部から分離状態に設けたことを特徴とする。
【００１５】
これによって、特に貯蔵箱体が下降した状態で貯蔵室の前面が開放したままの状態とならず、貯蔵室の冷気漏れを少なくできる。
【００１６】
第４発明は、第１乃至第３発明のいずれかにおいて、前記貯蔵箱体は断熱壁構成であり、前記冷却装置は封入された冷媒が電動圧縮機、凝縮器、減圧装置及び前記冷媒が蒸発する冷却器を通って前記電動圧縮機へ循環する冷凍サイクルを構成し、前記冷却器は断熱壁で囲まれた冷却器室に収納され、前記冷気循環通路は前記貯蔵箱体の上部に形成したダクト構成であり、前記上昇位置において前記貯蔵箱体と前記ダクトが連通し下降位置においてこの両者が分離する構成であることを特徴とする。
【００１７】
これによって、貯蔵室と冷却器室とは電動送風機にて冷気が循環する冷気循環通路で連通する場合、この冷気循環通路を貯蔵箱体の上部に配置したダクト構成とすることによって、貯蔵箱体の背面側に貯蔵室を冷却する冷却装置を配置し、貯蔵箱体を上下動させる方式とした場合の空間の有効利用によって冷気循環通路の形成がし易く、また電動送風機が停止しているときに冷却器室の冷気が貯蔵室へ流入することが抑制できる。このため、物品の冷却貯蔵の安定化と物品出し入れの簡便さが得られるキッチン装置となる。
【００１８】
第５発明は、第１乃至第４発明のいずれかにおいて、前記冷気循環通路に、前記貯蔵箱体が下降した状態で前記冷却装置側で前記冷気循環通路を閉じるダンパ装置を設けたことを特徴とする。
【００１９】
これによって、貯蔵箱体が下降した状態で冷気循環通路を通って冷却器室へ侵入しようとする外気を遮ることができるため、冷却器での霜の成長を少なくできる効果がある。
【００２０】
第６発明は、第１乃至第５発明のいずれかにおいて、前記貯蔵箱体の壁の一部に蓄冷材を配置したことを特徴とする。
【００２１】
これによって、貯蔵箱体が下降した状態が長くても、蓄冷材による貯蔵室内の温度上昇を抑制できる効果がある。
【００２２】
第７発明は、水道水の供給口を備えたシンクとこのシンクの横にテーブル部を備えた流し台の上方空間に前面扉を備えた戸棚が配置されたキッチン装置において、前記戸棚に併設された収納箱体部に収納された冷蔵庫を設け、この冷蔵庫は、前面に物品出し入れ開口を形成する貯蔵室を構成した貯蔵箱体とこの貯蔵箱体の背面側に前記貯蔵室を電動送風機による冷気循環にて冷却する冷却装置を備え、前記貯蔵箱体は、前記貯蔵室が前記収納箱体部内に収まった上昇位置と前記冷却装置及び前記電動送風機を上方に残したままで前記貯蔵室が前記収納箱体部から外れた下降位置とに移動可能であり、前記冷却装置と前記貯蔵室との冷気循環通路を前記貯蔵箱体の上下移動に伴って伸縮又は撓む可撓性ダクト構成としたことを特徴とするキッチン装置である。
【００２３】
これによって、貯蔵箱体の上下移動に伴って冷気循環通路が接離しないので接離部のシール不良の心配がなくなる。
【００２４】
第８発明は、第１乃至第７発明において、前記上昇位置において前記冷却装置が運転可能状態となり、下降位置では前記冷却装置が運転停止状態となる制御スイッチを備えたことを特徴とする。
【００２５】
これによって、上昇位置で正規の冷却を行うことにより、下降状態での冷却装置の不要な運転をなくして電力の節約と冷却器への霜付きの抑制ができる。
【００２６】
第９発明は、第１または第４発明において、前記上昇位置において前記冷却装置及び前記送風機が運転可能状態となり、下降位置では前記冷却装置及び前記送風機が運転停止状態となる制御スイッチを備えたことを特徴とする。
【００２７】
これによって、上昇位置で正規の冷却を行うことにより、下降状態での冷却装置の不要な運転をなくして電力の節約と冷却器への霜付きの抑制ができる。
【００２８】
第１０発明は、第１乃至第９発明のいずれかにおいて、前記貯蔵箱体の上下移動を電動昇降装置にて行うことを特徴とする。
【００２９】
これによって、貯蔵箱体の上下移動を安定にゆっくりと行うことができる装置の提供となる。
【００３０】
【発明の実施の形態】
次に、本発明について説明する。図１乃至図４は本発明のキッチン装置の実施形態を示しており、図１は冷蔵庫の貯蔵箱体が降下した状態のキッチン装置の斜視図、図２は図１の冷蔵庫部分の構成を説明する背面斜視図、図３は図２の貯蔵箱体が上昇した状態における冷蔵庫部分の構成を説明する縦断側面図、図４は本発明のキッチン装置の他の実施形態を示すもので冷蔵庫の貯蔵箱体が降下した状態のキッチン装置の斜視図である。
【００３１】
先ず図１及び図３に基づき本発明のキッチン装置を説明する。本発明のキッチン装置は、水道水の供給口２を備えたシンク３とこのシンク３の横にテーブル部４を備えた流し台１と、この流し台１の上方空間に前面扉６を備えた戸棚５が配置されており、戸棚５に併設されて戸棚５と統一された外観を持つ収納箱体部７に収納された冷蔵庫８を備えている。冷蔵庫８は、前面に物品出し入れ開口９を形成する貯蔵室１０を構成した貯蔵箱体１１と、この貯蔵箱体１１の背面側には貯蔵室１０を冷却する冷却装置１２を備える。貯蔵箱体１１は、貯蔵室１０がその物品出し入れ開口９が収納箱体部７内に収まった上昇位置と、冷却装置１２を上方に残したままで貯蔵室１０がその物品出し入れ開口９が収納箱体部７から外れた下降位置とに移動可能あり、上昇位置において冷却装置１２と貯蔵室１０との冷気循環通路１３が連通状態となり、下降位置において冷気循環通路１３が分離する構成である。
【００３２】
貯蔵箱体１１は断熱壁構成であり、貯蔵室１０の前面の物品出し入れ開口９は開放したままの状態でもよいが、下降位置において貯蔵室１０の冷気漏出を抑制するために、図３のように物品出し入れ開口９を開閉する開閉部材１４を貯蔵箱体１１に設けた構成でもよい。貯蔵箱体１１の上下動の支障とならないように、開閉部材１４は収納箱体部７から当接しない分離状態に設けられる。開閉部材１４は、左右引き違い式扉、左右２枚の観音開き式扉、或いは左右の一側がヒンジで支持された回動式１枚扉のいずれでもよい。開閉部材１４は、貯蔵室１０を前面から透視できるガラス又は合成樹脂製とすることにより、貯蔵物を外部から把握できるため、開閉部材１４の効率的な開閉が可能となる。
【００３３】
冷却装置１２は、貯蔵箱体１１の背面側に箱体３１に収納されて収納箱体部７内に取り付けられている。冷却装置１２は、封入された冷媒が電動圧縮機１５、凝縮器１６、減圧装置１７及び冷媒が蒸発する冷却器１８を通って電動圧縮機１５へ循環する冷凍サイクルを構成し、これらが箱体３１内に収納されている。冷却器１８は断熱壁１９で囲まれた冷却器室２０に収納されている。
【００３４】
貯蔵箱体１１内への冷気循環通路は、貯蔵箱体１１の上部に収納箱体部７内に形成した断熱材で構成したダクト２１内に形成した冷気供給通路１３と、貯蔵箱体１１の上部に収納箱体部７内に形成した断熱材で構成した断熱性ダクト３０内の冷気帰還通路によって構成されている。貯蔵箱体１１の上昇位置において、貯蔵箱体１１とダクト２１が接続部２２にて連通し、貯蔵箱体１１と断熱性ダクト３０が接続部３９にて連通する。そして、貯蔵箱体１１の下降位置において、接続部２２及び３９が離れて貯蔵箱体１１とダクト２１及び３０が分離する構成である。電動圧縮機１５及び凝縮器１６の熱は、箱体３１の上部に設けて排気ダクト３２から排気される。ダクト２１及び３０によって形成される冷気循環通路は、ダクト２１及び３０が収納箱体部７内の貯蔵箱体１１の上部空間に配置されることにより、空間を有効利用した構成となる。また、このようにダクト２１及び３０が上部に配置されることにより、電動送風機２４が停止しているときに冷却器室２０の冷気が貯蔵室１０へ流入することが抑制できる。
【００３５】
冷却器１８で冷却された冷気は、その上方に設けた電動送風機２４によってダクト２１の冷気供給通路１３を通って貯蔵箱体１１の上壁前部を貫通した冷気供給孔２６から貯蔵室１０内に供給される。貯蔵室１０内の冷気は、貯蔵室１０内の棚２７上の物品を冷却しつつ、棚２７の後部の通路２８を通って貯蔵箱体１１の上壁後部を貫通した冷気出口２９から断熱性ダクト３０内の冷気帰還通路を通り、冷却器室２０の下部に帰還され、再び冷却器１８で冷却されてダクト２１の冷気供給通路１３へ流出する。このように貯蔵室１０内を速やかに冷却できる冷気強制循環式によって、貯蔵室１０内は所定の低温に冷却される。貯蔵室１０内の温度は、温度検知部の検知に基づき制御回路が電動圧縮機１５と電動送風機２４をＯＮ−ＯＦＦ制御することにより、所定温度範囲の制御が行われる。
【００３６】
冷気供給通路１３には、貯蔵箱体１１が下降した状態で冷却装置１２側、即ちダクト２１内において冷気供給通路１３を閉じるダンパ装置２３を設けており、貯蔵箱体１１が下降した状態で冷気供給通路１３を閉じることにより、冷却器室２０への外気の進入を抑制している。ダンパ装置２３は、貯蔵箱体１１の下降によって冷気供給通路１３を閉じ、上昇によって冷気供給通路１３を開く機械的な構成でもよいが、この他に、貯蔵箱体１１が上昇状態ではダンパ装置２３が冷気供給通路１３を開いており、貯蔵箱体１１が下降した状態又は下降を始める状態で作動するスイッチによって冷気供給通路１３を閉じるように動作する電磁石又は電動機等で駆動される電動式とすることもできる。
【００３７】
貯蔵箱体１１の壁の一部には、貯蔵室１０に面して蓄冷材２５を配置している。この蓄冷材２５は、貯蔵箱体１１が上昇した状態で冷却装置１２の運転によって冷却される。このため、貯蔵箱体１１が下降した状態で冷却装置１２による冷却が停止しても、貯蔵室１０は蓄冷材２５によって温度上昇が抑制される効果がある。４５は冷却器１８の除霜水の排出パイプであり、流し台１の排水と合流するよう配置される。
【００３８】
貯蔵箱体１１の上昇位置において冷却装置１２及び電動送風機２４が運転可能状態となり、下降位置では冷却装置１２が運転停止状態となる制御スイッチを備えている。このスイッチを収納箱体部７内または貯蔵箱体１１に取り付けておき、このスイッチが貯蔵箱体１１の上昇位置においてＯＮとなって冷却装置１２及び電動送風機２４が運転可能状態なり、貯蔵箱体１１の下降に伴ってＯＦＦとなって冷却装置１２及び電動送風機２４が停止するように構成すればよい。
【００３９】
貯蔵箱体１１の上昇位置と下降位置間の上下移動は昇降装置４０にて行う。昇降装置４０は、立方形状の貯蔵箱体１１が収納箱体部７内で垂直方向に上下動するように構成されている。その一つの方式として、貯蔵箱体１１の上壁の四隅部の支持部４１が収納箱体部７の左右壁の前後４箇所に設けたレール部４２に沿って上下移動するように組み合わされ、各支持部４１が電動機４３によって上下動するワイヤー４４に連結されており、電動機４３の正回転及び逆回転によってワイヤー４４を上下動させて貯蔵箱体１１を上下動させるエレベータ方式である。
【００４０】
この場合、電動機４３は、図のように左右２個の電動機４３が左右前後のワイヤー４４にそれぞれ連結され、同期回転して貯蔵箱体１１を上下動させる方式でもよいが、四隅部の支持部４１にそれぞれ連結したワイヤー４４ごとに電動機を設けて、この４個の電動機４３の同期回転によって貯蔵箱体１１を上下動させる方式でもよい。いずれの場合も、電動機４３の回転は減速歯車機構によってワイヤー４４に伝達されることにより、貯蔵箱体１１はゆっくりと上下動することにより、安全駆動ができる。
【００４１】
昇降装置４０は上記の方式に限らず、他の方式によって貯蔵箱体１１がゆっくりと上下動する構成とすることができる。いずれの場合も、収納箱体部７の前面に設けたスイッチ３３をＯＮさせると、昇降装置４０が動作して貯蔵箱体１１は下降して所定位置で停止し、収納箱体部７の前面に設けたスイッチ３４をＯＮさせると、昇降装置４０が動作して貯蔵箱体１１は上昇して所定位置で停止する。このように、貯蔵箱体１１が所定の下降位置と上昇位置で停止するように、スイッチが設けられている。
【００４２】
冷蔵庫８は、流し台１のシンク３の上方に配置すれば、調理や洗浄しようとする物品の取り出しが便利であるが、シンク３の横のテーブル部４の上方に配置することでもよい。
【００４３】
貯蔵箱体１１が上昇して収納箱体部７内の収まった状態で、貯蔵箱体１１の前面開口９の周縁と収納箱体部７とのシールができるように、上下のパッキン３５、３６と左右のパッキン３７、３８が設けられている。これらのパッキンは、貯蔵箱体１１の上下動作を考慮して、貯蔵箱体１１の前面開口９の周縁及び収納箱体部７の内面の適当な部分に取り付けられる。
【００４４】
図４には他の実施形態を示している。図１乃至図３の実施形態と異なるところは、貯蔵箱体１１はその前面開口９を断熱扉３９で開閉できる構成であり、収納箱体部７の前面は開放７Ａした形態をなし、貯蔵箱体１１が上昇して収納箱体部７内に収納された状態で、この開放部７Ａに断熱扉３９が臨む構成である。断熱扉３９は、その色彩を含めて戸棚５と統一された外観を持つように設計され、図４のような左右の観音開き式扉、左右引き違い扉、或いは左右いずれかに開く１枚構成とすることができる。
【００４５】
このような構成において、貯蔵箱体１１は、収納箱体部７内に収まった上昇位置と、冷却装置１２、電動送風機２４、及びダクト２１、３０を上方に残したままで収納箱体部７から外れた下降位置とに移動可能である。なお図４において、図１乃至図３の符号と同じ符合部分は、図１乃至図３に基づいて説明した上述と同じである。図４の構成では、断熱扉３９の裏側周縁部に貯蔵箱体１１の前面開口９の周縁に当接するパッキンを設けることによって、図１乃至図３の形態において貯蔵箱体１１の前面開口９の周縁と収納箱体部７とをシールするために設けたパッキン３５、３６、３７、３８が不要となる。
【００４６】
図１乃至図４の構成では、貯蔵箱体１１内への冷気循環は、冷却器１８から電動送風機２４によってダクト２１の冷気供給通路１３を通って冷気供給孔２６から貯蔵室１０内に供給され、貯蔵室１０内の物品を冷却した後、冷気出口２９から断熱性ダクト３０内の冷気帰還通路を通り、冷却器室２０の下部に帰還され、再び冷却器１８で冷却されてダクト２１の冷気供給通路１３へ流出する。そして、貯蔵箱体１１の下降によってダクト２１、３０を収納箱体部７内に残すようにダクト２１、３０と貯蔵箱体１１は離反する構成である。
【００４７】
このような貯蔵箱体１１の上下動によってダクト２１、３０と貯蔵箱体１１が接合及び離反する構成に代えて、冷却装置１２と貯蔵室１０との冷気循環通路を貯蔵箱体１１の上下移動に伴って伸縮又は撓む可撓性ダクト構成とすることもできる。この場合、可撓性ダクトは、冷却器室２０の冷気出口と貯蔵箱体１１の冷気供給孔２６とを伸縮又は撓む可撓性ダクトで連結し、また冷却器室２０の冷気帰還口と冷気出口２９とを伸縮又は撓む可撓性ダクトで連結する方式とする。この可撓性ダク方式では、冷気循環通路が接離しないので接離部のシール不良の心配がなくなる。
【００４８】
貯蔵箱体１１の貯蔵室１０内は凍結しない冷蔵温度の冷蔵室のみならず、貯蔵室１０の一部分に凍結温度帯の冷凍室や、物品が凍結しないが０℃以下の温度の特定温度室を構成することもできる。
【００４９】
本発明は上記実施形態に限定されるものではなく、特許請求の範囲を逸脱しない部分における種々の実施形態を包含するものである。
【００５０】
【発明の効果】
本発明によれば、冷蔵庫は、貯蔵室を上下移動式として、上昇位置で冷却状態とし下降位置で貯蔵室の前面からの物品の出し入れが行えるようになるため、物品の冷却貯蔵の安定化と物品出し入れの簡便さが得られるキッチン装置となる。そして、貯蔵箱体の背面側に貯蔵室を冷却する冷却装置を備えることにより、冷媒配管が短くなり配管の設置作業や断熱作業も簡素化される。
【００５１】
第２発明によって、貯蔵室内を速やかに冷却できる冷気強制循環式の冷蔵庫とすることができ、貯蔵箱体は、上昇位置で貯蔵室と冷却器室とが冷気循環通路で連通状態となり、下降位置で冷却装置と電動送風機を上方に残したままで冷気循環通路が分離状態となることにより、貯蔵箱体の背面側に貯蔵室を冷却する冷却装置を配置し、貯蔵室の前面からの物品の出し入れが行える形態の構成が容易となる。
【００５２】
第３発明によって、特に貯蔵箱体が下降した状態で貯蔵室の前面が開放したままの状態とならず、貯蔵室の冷気漏れを少なくできる。
【００５３】
第４発明によって、貯蔵室と冷却器室とは電動送風機にて冷気が循環する冷気循環通路で連通する場合、この冷気循環通路を貯蔵箱体の上部に配置したダクト構成とすることによって、貯蔵箱体の背面側に貯蔵室を冷却する冷却装置を配置し、貯蔵箱体を上下動させる方式とした場合の空間の有効利用によって冷気循環通路の形成がし易く、また電動送風機が停止しているときに冷却器室の冷気が貯蔵室へ流入することが抑制できる。このため、物品の冷却貯蔵の安定化と物品出し入れの簡便さが得られるキッチン装置となる。
【００５４】
第５発明によって、貯蔵箱体が下降した状態で冷気循環通路を通って冷却器室へ侵入しようとする外気を遮ることができるため、冷却器での霜の成長を少なくできる効果がある。
【００５５】
第６発明によって、貯蔵箱体が下降した状態が長くても、蓄冷材による貯蔵室内の温度上昇を抑制できる効果がある。
【００５６】
第７発明によって、貯蔵箱体の上下移動に伴って冷気循環通路が接離しないので接離部のシール不良の心配がなくなる。
【００５７】
第８発明によって、上昇位置で正規の冷却を行うことにより、下降状態での冷却装置の不要な運転をなくして電力の節約と冷却器への霜付きの抑制ができる。
【００５８】
第９発明によって、上昇位置で正規の冷却を行うことにより、下降状態での冷却装置の不要な運転をなくして電力の節約と冷却器への霜付きの抑制ができる。
【００５９】
第１０発明によって、貯蔵箱体の上下移動を安定にゆっくりと行うことができる安定装置の提供となる。
【００６０】
【図面の簡単な説明】
【図１】本発明冷蔵庫の貯蔵箱体が降下した状態のキッチン装置の斜視図である。
【図２】図１の冷蔵庫部分の構成を説明する背面斜視図である。
【図３】図２の貯蔵箱体が上昇した状態における冷蔵庫部分の構成を説明する縦断側面図である。
【図４】本発明のキッチン装置の他の実施形態を示すもので冷蔵庫の貯蔵箱体が降下した状態のキッチン装置の斜視図である。
【符号の説明】
１……流し台
２……水道水の供給口
３……シンク
４……テーブル部
７……収納箱体部
８……冷蔵庫
９……物品の出し入れ開口
１０……貯蔵室
１１……貯蔵箱体
１２……冷却装置
１３……冷気供給通路
１４……開閉部材
１５……電動圧縮機
１６……凝縮器
１７……減圧装置
１８……冷却器
１９……断熱壁
２０……冷却器室
２１、３０……ダクト
２２、３９……接続部
２３……ダンパ装置
２４……電動送風機
２５……蓄冷材
２６……冷気供給孔
２９……冷気出口
３１……冷却装置の箱体
３２……排気ダクト
３３……下降スイッチ
３４……上昇スイッチ
４０……昇降装置
４５……排出パイプ
【図１】
2005000207.tif 000003
【図２】
2005000207.tif 000004
【図３】
2005000207.tif 000005
【図４】
2005000207.tif 000006